(57)【要約】      （修正有）【課題】建築物の天井スラブに予め埋設されているアンカーや天井インサート内に、床上から吊りボルトを容易に螺入することができる吊りボルト取付装置を提供する。【解決手段】吊りボルト取付装置１は、吊りボルトＶを挿入可能な伸縮自在の回転操作パイプ２により構成され、回転操作パイプ２の先端部に、回転操作パイプ２の正方向回転操作により吊りボルトＶと一体的に回転する（回転操作パイプ２の逆方向回転操作により吊りボルトＶに対し空転する）ラチェット部６を備え、このラチェット部６は、吊りボルトＶの径サイズに応じて交換可能で、吊りボルトＶの取り外し時には、ラチェット部６を上下逆向きに取り付けることで、回転操作パイプ２の逆方向回転操作により吊りボルトＶと一体的に回転する（回転操作パイプ２の正方向回転操作により吊りボルトＶに対し空転する）。【選択図】図１
2018099754.tif 000002
【特許請求の範囲】
【請求項１】
鉄骨天井インサートに吊りボルトを取り付けるための吊りボルト取付装置であり、当該吊りボルト取付装置は、吊りボルトを挿入可能な伸縮自在の回転操作パイプにより構成され、回転操作パイプの先端部に、回転操作パイプの正方向回転操作により吊りボルトと一体的に回転する（回転操作パイプの逆方向回転操作により吊りボルトに対し空転する）ラチェット部を備え、このラチェット部は、吊りボルトの径サイズに応じて交換可能で、吊りボルトの取り外し時には、ラチェット部を上下逆向きに取り付けることで、回転操作パイプの逆方向回転操作により吊りボルトと一体的に回転する（回転操作パイプの正方向回転操作により吊りボルトに対し空転する）ことを特徴とする吊りボルト取付装置。
【請求項２】
回転操作パイプは、挿入している吊りボルトの端部を任意の位置で受け止める受け部を備え、当該受け部は、回転操作パイプの側面の長手方向に沿うように設けられた長孔と、当該長孔に所定の間隔で横方向に設けた複数の凹溝とを有し、吊りボルトの長さに応じて選択された所定の位置の凹溝に締付部材を宛がって係合させ、パイプ内の任意の位置に固定される請求項１に記載の吊りボルト取付装置。
【請求項３】
前記ラチェット部は、吊りボルトの周りを（三点位置で）支持する挟持ローラを有し、この挟持ローラは、回転操作パイプの正方向回転操作により吊りボルトと一体的に回転し（回転操作パイプの逆方向回転操作により吊りボルトに対し空転する）、また、回転操作パイプの逆方向回転操作により吊りボルトと一体回転する（回転操作パイプの正方向回転操作により吊りボルトに対し空転する）ラチェット機構を備えている請求項１に記載の吊りボルト取付装置。
【請求項４】
前記回転操作パイプの先端部に、透明弾性部材により形成されたカップ状のカバー部材を取り付けている請求項１乃至３のいずれかに記載の吊りボルト取付装置。
【請求項５】
前記回転操作パイプは、先端部にラチェット部を接続して固定するケーシングを備え、このケーシングには、略ラッパ形状の挿着開口部を先端に備えた摺動管と、摺動管の外側面に突設されたガイド突起部が摺動自在に取り付けられるよう、ガイド長孔部を側面長手方向に沿って形成したガイドパイプを備えた連結部と、吊りボルトのねじ込みに伴って摺動管がガイドパイプに沿って次第に後退するよう、挿着開口部及び連結部相互間に介装させたコイルバネにより構成されたソケットを取り付けており、前記挿着開口部は、鉄骨天井インサートへ吊りボルトを取り付ける際に当該鉄骨天井インサートを覆いつつ吊りボルトを鉄骨天井インサートのネジ部内に螺入する請求項１乃至４のいずれかに記載の吊りボルト取付装置。
【請求項６】
前記ラチェット部は、その後部開口端に角筒状の突起部を備え、前記回転操作パイプの先端には、内側に角孔が形成されたスリーブ部を備え、突起部を角孔に差し込み、前記ケーシングを、ラチェット部を覆うようにしてスリーブ部に嵌合させ、締付部材により、回転操作パイプの先端にラチェット部を固定している請求項３又は５に記載の吊りボルト取付装置。
【請求項７】
前記回転操作パイプは、その一端にグリップ部を備え、当該グリップ部は、第１グリップ部と第２グリップ部とに分割され、前記第２グリップ部は回転操作パイプに対して回転自在に取り付けられており、第１グリップ部の一端には互いに逆向きの二重螺旋状のガイド溝を周面に有する軸部が回転自在に装着され、軸部のガイド溝に第２グリップ部内周面に形成されたガイド突部が係合し、挿入されて回転操作パイプに連結した状態と成り、第１グリップ部を第２グリップ部に押し込むことで回転操作パイプを正方向回転（逆方向回転）させ、第１グリップ部を第２グリップ部から引き出すことで回転操作パイプを逆方向回転（正方向回転）させる請求項１乃至６のいずれかに記載の吊りボルト取付装置。
【発明の詳細な説明】
【技術分野】
【０００１】
本発明は、建築物の天井スラブに埋設されたアンカーや鉄骨天井インサート内に、吊りボルトを螺入するための吊りボルト取付装置に関するものである。
【背景技術】
【０００２】
一般的に、ビルや工場等の建造物において、電気工事、空調工事、配線・配管工事、ダクト配設工事等のために、天井スラブから下方へ吊リボルトを垂設している。
【０００３】
従来において、天井スラブＳに埋設されたアンカーや鉄骨天井インサートＨ内に吊りボルトＶを螺入する作業を、作業員Ｑの安全性を確保しながら、建造物内の数箇所に渡って行っている。この場合には、例えば、図２６に示すように、櫓状の可搬式作業台Ｔを各箇所毎に設置し、この可搬式作業台Ｔに作業員Ｑが上り、手で吊りボルトＶを螺入し、本締めにプライヤＰ等の工具を用いて行っている。
【０００４】
また、本締めにプライヤＰ等の工具を用いる代わりに、例えば、特許文献１に開示されているような電動ドリルドライバ等の電動回転機を利用した吊りボルト自動螺入装置や、特許文献２に開示されているような所謂クランクボールと称するハンドルドライバ式の吊りボルト締着工具も使用されている。
【０００５】
しかしながら、天井スラブＳに埋設されたアンカー等が高所の場合、作業員Ｑは可搬式作業台Ｔに乗って作業をしなければならないので、作業員Ｑが誤って可搬式作業台Ｔから転落する等、非常に危険である。
【０００６】
しかも、天井スラブＳに垂設される吊りボルトＶの本数が多いことから、可搬式作業台Ｔを頻繁に移動させて、その都度作業員Ｑが可搬式作業台Ｔに乗って作業をしなければならないので、労力と時間をかなり費やすことになり、作業効率としては好ましくないという問題点があった。
【０００７】
そこで、特許文献３に開示されているように、従来の穿孔機と同じようにして、床上で吊りボルトの植設が行えるようにしたボルトアンカー打込棒なるものが提供されている。
【０００８】
すなわち、このボルトアンカー打込棒は、ボルトアンカーに螺着した吊りボルトを貫通孔のある打撃部から摺動パイプ内に貫挿し、吊りボルトの下端ネジ部を摺動パイプのガイド部内の案内棒先端のボルト嵌入部に挿入し、先に穿孔した天井面のボルトアンカー孔にボルトアンカーを当接し、案内棒の支持柄を片手で支持し、打撃部とガイドリングからなる摺動パイプを他方の手で握持し、上下に摺動させて、ボルトアンカーを打撃部を以てコンクリート孔に打設し、ボルトアンカーの雌ネジに螺着した雄ネジをもつ吊りボルトを天井面に吊下植設するものである。
【先行技術文献】
【特許文献】
【０００９】
【特許文献１】実開平３−１７７１号公報
【特許文献２】実開昭５８−６３９７４号公報
【特許文献３】実開昭６０−１３７２０９号公報
【発明の概要】
【発明が解決しようとする課題】
【００１０】
上記した特許文献３によるボルトアンカー打込棒の場合、吊りボルトの下端ネジ部を摺動パイプのガイド部内の案内棒先端のボルト嵌入部に挿入し、打撃部を以てコンクリート孔に打設して吊りボルトを天井面に吊下植設するものである。
【００１１】
しかしながら、上記した特許文献３においては、建築物の天井スラブにアンカーや鉄骨天井インサートが予め埋設されている場合に、吊りボルトをねじ込み吊下植設することに関しては、従来では何等の対策も考慮されておらず、しかも、このような場合に上記した特許文献３による穿孔機のような打設作業は無意味となる。
【００１２】
そこで、本発明は如上のような従来存した諸事情に鑑み創出されたもので、作業員は可搬式作業台や架台等に乗って落下の危険性のある作業を実施することなく、建築物の天井スラブに予め埋設されているアンカーや鉄骨天井インサート内に、床上から吊りボルトを容易に螺入することができ、誰もが安全性の確保された吊りボルト取付作業を容易に実施できる、吊りボルト取付装置を提供することを目的とする。
【課題を解決するための手段】
【００１３】
本発明に係る請求項１の発明は、鉄骨天井インサートに吊りボルトを取り付けるための吊りボルト取付装置であり、当該吊りボルト取付装置は、吊りボルトを挿入可能な伸縮自在の回転操作パイプにより構成され、回転操作パイプの先端部に、回転操作パイプの正方向回転操作により吊りボルトと一体的に回転する（回転操作パイプの逆方向回転操作により吊りボルトに対し空転する）ラチェット部を備え、このラチェット部は、吊りボルトの径サイズに応じて交換可能で、吊りボルトの取り外し時には、ラチェット部を上下逆向きに取り付けることで、回転操作パイプの逆方向回転操作により吊りボルトと一体的に回転する（回転操作パイプの正方向回転操作により吊りボルトに対し空転する）ことで、上述した課題を解決した。
【００１４】
この請求項１に係る吊りボルト取付装置によれば、ラチェット部は回転操作パイプの正方向回転操作により吊りボルトと一体的に回転するので、回転操作パイプを回転操作するだけで、建築物の天井スラブに予め埋設されているアンカーや鉄骨天井インサートのネジ部内への吊りボルトの螺入がスムーズに行えるものとなり、これによって、極めて短時間のうちに吊りボルトの取付作業を完了させることができる。
【００１５】
また、回転操作パイプの先端部においてラチェット部を交換することで、吊りボルトの種々の径サイズに対応可能となる。
【００１６】
しかも、ラチェット部は、このラチェット部を上下逆向きに取り付けることで、回転操作パイプの逆方向回転操作により吊りボルトと一体的に回転する（回転操作パイプの正方向回転操作により吊りボルトに対し空転する）ことから、建築物の天井スラブに予め埋設されているアンカーや鉄骨天井インサートのネジ部内へ螺入されている吊りボルトの取り外しがスムーズに行えるものとなり、これによって、極めて短時間のうちに吊りボルトの取り外し作業を完了させることができる。
【００１７】
さらに、回転操作パイプは伸縮自在であるので、回転操作パイプの長さを、床面から建築物の天井スラブまでの高さに応じて適宜調整することができる。
【００１８】
本発明に係る請求項２の発明は、回転操作パイプは、挿入している吊りボルトの端部を任意の位置で受け止める受け部を備え、当該受け部は、回転操作パイプの側面の長手方向に沿うように設けられた長孔と、当該長孔に所定の間隔で横方向に設けた複数の凹溝とを有し、吊りボルトの長さに応じて選択された所定の位置の凹溝に締付部材を宛がって係合させ、パイプ内の任意の位置に固定されることで、上述した課題を解決した。
【００１９】
この請求項２に係る吊りボルト取付装置によれば、受け部は、長孔に装着される締付部材を介して、パイプ内の任意の位置に固定されるので、回転操作パイプに挿入される吊りボルトの長さに応じて、ラチェット部から先端側の一部が突出するようにして保持させることができ、建築物の天井スラブに予め埋設されているアンカーや鉄骨天井インサートのネジ部内への床上からの吊りボルトの螺入操作を容易に実施することができる。
【００２０】
また、長孔には、所定の間隔で横方向に設けた複数の凹溝を備えているので、回転操作パイプに挿入される吊りボルトの長さに応じて凹溝を選択し、締付部材を宛がって係合することで、建築物の天井スラブに予め埋設されているアンカーや鉄骨天井インサートのネジ部内への床上からの吊りボルトの螺入操作中を通じて、ラチェット部から吊りボルトの先端側一部の突出状態を常に維持することができる。
【００２１】
本発明に係る請求項３の発明は、前記ラチェット部は、吊りボルトの周りを（三点位置で）支持する挟持ローラを有し、この挟持ローラは、回転操作パイプの正方向回転操作により吊りボルトと一体的に回転し（回転操作パイプの逆方向回転操作により吊りボルトに対し空転する）、或いは、回転操作パイプの逆方向回転操作により吊りボルトと一体的に回転する（回転操作パイプの正方向回転操作により吊りボルトに対し空転する）ラチェット機構を備えていることで、上述した課題を解決した。
【００２２】
この請求項３に係る吊りボルト取付装置によれば、建築物の天井スラブに予め埋設されているアンカーや鉄骨天井インサートのネジ部内への吊りボルトの螺入操作、或いは、建築物の天井スラブに予め埋設されているアンカーや鉄骨天井インサートのネジ部内へ螺入されている吊りボルトの取り外し操作をスムーズに行えるものとなり、床上からの吊りボルトの取り付け作業や取り外し作業を極めて短時間のうちに完了させることができる。
【００２３】
本発明に係る請求項４の発明は、前記回転操作パイプの先端部に、透明弾性部材により形成されたカップ状のカバー部材を取り付けていることで、上述した課題を解決した。
【００２４】
この請求項４に係る吊りボルト取付装置によれば、前記カバー部材は、鉄骨天井インサートへ吊りボルトを取り付ける際に、当該鉄骨天井インサートを覆いつつ吊りボルトのねじ込みに伴って次第に収縮するので、回転操作パイプがブレることがなく、吊りボルトを安定させて、外側から視認しながら確実に鉄骨天井インサートに取り付けることができる。
【００２５】
本発明に係る請求項５の発明は、前記回転操作パイプは、先端部にラチェット部を接続して固定するためのケーシングを備え、このケーシングには、略ラッパ形状の挿着開口部を先端に備えた摺動管と、摺動管の外側面に突設されたガイド突起部が摺動自在に取り付けられるよう、ガイド長孔部を側面長手方向に沿って形成したガイドパイプを備えた連結部と、吊りボルトのねじ込みに伴って摺動管がガイドパイプに沿って次第に後退するよう、挿着開口部及び連結部相互間に介装させたコイルバネにより構成されたソケットを取り付けており、前記挿着開口部は、鉄骨天井インサートへ吊りボルトを取り付ける際に当該鉄骨天井インサートを覆いつつ吊りボルトを鉄骨天井インサートのネジ部内に螺入することで、上述した課題を解決した。
【００２６】
この請求項５に係る吊りボルト取付装置によれば、吊りボルトのねじ込みに伴って摺動管がガイドパイプに沿って次第に後退するように構成されたソケットを、前記ラチェット部を接続固定するためのケーシングに備えているので、回転操作パイプがブレることなく、例えば、８分の３インチの径（Ｗ３／８）や８分の４インチの径（Ｗ４／８）等の吊りボルトを安定させて、確実に鉄骨天井インサートに取り付けることができる。
【００２７】
また、鉄骨天井インサートを覆いつつ吊りボルトをネジ部内に螺入するよう挿着開口部を備えているので、鉄骨天井インサートの下方に突出したネジ部と、回転操作パイプに保持された吊りボルトとの軸合わせを確実なものとしつつ、例えば、８分の３インチの径（Ｗ３／８）や８分の４インチの径（Ｗ４／８）等、の吊りボルトを安定させて、鉄骨天井インサートに取り付けることができる。
【００２８】
本発明に係る請求項６の発明は、前記ラチェット部は、その後部開口端に角筒状の突起部を備え、前記回転操作パイプの先端には、内側に角孔が形成されたスリーブ部を備え、突起部を角孔に差し込み、前記ケーシングを、ラチェット部を覆うようにしてスリーブ部に嵌合させ、締付部材により、回転操作パイプの先端にラチェット部を固定していることで、上述した課題を解決した。
【００２９】
この請求項６に係る吊りボルト取付装置によれば、突起部を角孔に差し込み、ケーシングを、ラチェット部を覆うようにして、回転操作パイプ先端のスリーブ部に嵌合させ、締付部材により固定しているので、ラチェット部を回転操作パイプ２の先端に強固に固定することができ、回転操作パイプの先端からのラチェット部の不用意な脱落を防止している。
【００３０】
本発明に係る請求項７の発明は、前記回転操作パイプは、その一端にグリップ部を備え、当該グリップ部は、第１グリップ部と第２グリップ部とに分割され、前記第２グリップ部は回転操作パイプに対して回転自在に取り付けられており、第１グリップ部の一端には互いに逆向きの二重螺旋状のガイド溝を周面に有する軸部が回転自在に装着され、軸部のガイド溝に第２グリップ部内周面に形成されたガイド突部が係合し、挿入されて回転操作パイプに連結した状態となり、第１グリップ部を第２グリップ部に押し込むことで回転操作パイプを正方向回転（逆方向回転）させ、第１グリップ部を第２グリップ部から引き出すことで回転操作パイプを逆方向回転（正方向回転）させることで、上述した課題を解決した。
【００３１】
この請求項７に係る吊りボルト取付装置によれば、第１グリップ部を第２グリップ部に押し込んだり、引き出したりすることで回転操作パイプの正逆回転を自在に操作することができ、回転操作パイプ全体を正逆回転させるという労力を軽減して、操作性を向上させることができる。
【発明の効果】
【００３２】
本発明に係る吊りボルト取付装置により、作業員は可搬式作業台や架台等に乗って落下の危険性のある作業を実施することなく、建築物の天井スラブに予め埋設されているアンカーや鉄骨天井インサートのネジ部内に、床上から吊りボルトを容易に螺入することができ、誰もが安全性の確保された状態で、吊りボルトの取付作業を容易に実施することができる。
【００３３】
また、建築物の天井スラブに予め埋設されているアンカーや鉄骨天井インサートのネジ部内に螺入されている吊りボルトの取り外しがスムーズに行えるものとなり、これによって、極めて短時間のうちに吊りボルトの取り外し作業を完了することができる。
【００３４】
さらに、回転操作パイプに挿入される吊りボルトの長さに応じて、ラチェット部から先端側の一部が突出している状態を維持して、建築物の天井スラブに予め埋設されているアンカーや鉄骨天井インサートのネジ部内への床上からの吊りボルトの螺入操作を容易にする実施することができる。
【００３５】
加えて、回転操作パイプの長さを、床面から建築物の天井スラブまでの高さに応じて、適宜調整することができる。
【図面の簡単な説明】
【００３６】
【図１】本発明に係る第１実施形態における吊りボルト取付装置の構成を示す斜視図である。
【図２】同じく吊りボルト取付装置の構成を示すもので、（ａ）は平面図、（ｂ）は側面図、（ｃ）は正面図である。
【図３】同じく吊りボルト取付装置の構成を示す分解斜視図である。
【図４】回転操作パイプの先端に、ジョイント管を介してラチェット部を取り付ける状態を示す分解斜視図である。
【図５】回転操作パイプの先端に、ジョイント管を介してラチェット部を取り付けた状態を示す斜視図である。
【図６】吊りボルトを回転操作パイプに挿通させ、回転操作パイプの長孔の所定の位置に固定した受け部に係止させた状態を示す斜視図である。
【図７】回転操作パイプの長孔の所定の凹溝の位置に締付部材を挿入して受け部を固定した状態を示す一部分解斜視図である。
【図８】吊りボルト取付装置の使用状態の概略を示す側面図である。
【図９】回転操作パイプの複数のパイプをジョイント管で連結する場合の変形例を示す分解斜視図である。
【図１０】回転操作パイプの複数のパイプをジョイント管で連結した状態を示す斜視図である。
【図１１】第２実施形態として回転操作パイプのラチェット部側にカバー部材を取り付けた状態を示す斜視図である。
【図１２】第２実施形態としてのカバー部材が圧縮された状態を示す斜視図である。
【図１３】第３実施形態として回転操作パイプのラチェット部側にソケットを取り付けた状態を示す斜視図である。
【図１４】同じく回転操作パイプのラチェット部側にソケットを取り付けた状態を示すもので、（ａ）は平面図、（ｂ）は側面図、（ｃ）は正面図である。
【図１５】ソケットが取り付けられる回転操作パイプの構成を示す分解斜視図である。
【図１６】回転操作パイプにラチェット部とケーシングが取り付けられる状態を示す分解斜視図である。
【図１７】回転操作パイプにラチェット部とケーシングが取り付けられた状態を示す斜視図である。
【図１８】ケーシングに取り付けられるソケット部分の構成を示す分解斜視図である。
【図１９】回転操作パイプのラチェット部側にケーシングを介してソケットが取り付けられた状態を示す斜視図である。
【図２０】締付ジョイント部の使用例を示す分解斜視図である。
【図２１】締付ジョイント部の使用例を示す斜視図である。
【図２２】第３実施形態の回転操作パイプの使用方法を説明するもので、（ａ）は回転操作パイプのグリップ部を持って、天井スラブの下方に突出した鉄骨天井インサートのネジ部にソケットの挿着開口部を近接させたときの断面図、（ｂ）は鉄骨天井インサートの下縁開口側にソケットの挿着開口部を接触させたときの断面図、（ｃ）は鉄骨天井インサートをソケットの挿着開口部に差し込んだときの断面図、（ｄ）は鉄骨天井インサートが摺動管に挿入されたときの断面図である。
【図２３】同じく第３実施形態の回転操作パイプの使用方法を説明するための断面図であり、（ａ）はソケットの挿着開口部を天井スラブに押し付けたときの断面図、（ｂ）はネジ部のネジ孔開口端の内周面に吊りボルトのネジ先端の外周面が当ってネジ部と吊りボルトとが同軸となったときの断面図、（ｃ）は回転操作パイプ２を正方向回転させてネジ部に吊りボルトをねじ込んだ状態の断面図、（ｄ）は回転操作パイプ２を逆方向回転させて吊りボルトから回転操作パイプを引き抜く状態を示す断面図である。
【図２４】回転操作パイプに、ストレートな長孔を設けている場合の変形例を示す一部分解斜視図である。
【図２５】回転操作パイプのグリップ部の変形例を示す斜視図である。
【図２６】従来例における吊りボルトの取付作業の概略を示す説明図である。
【発明を実施するための形態】
【００３７】
以下に、図面を参照して、本発明の一実施の形態について説明する。
【００３８】
＜第１実施形態＞
本発明に係る吊りボルト取付装置１は、作業員Ｑが床面から高所位置にある天井スラブＳの鉄骨天井インサートＨのネジ部ＨＮに、例えば、８分の３インチの径（Ｗ３／８）や８分の４インチの径（Ｗ４／８）等の吊りボルトＶを螺入するために使用するものである。
【００３９】
吊りボルト取付装置１は、図１乃至図３に示すように、一端にグリップ部Ｇを有し、吊りボルトＶを挿入可能とする長尺な回転操作パイプ２と、回転操作パイプ２の内部に挿入されて締付部材４によってパイプ内の任意の位置に固定され、挿入している吊りボルトＶの端部を任意の位置で受け止める円柱ブロック状の受け部５と、回転操作パイプ２の他端（先端部）に接続固定され、吊りボルトＶの周りを（三点位置）で支持する挟持ローラ７を内蔵し、挟持ローラ７を、回転操作パイプ２の正方向回転操作（又は逆方向回転操作）により吊りボルトＶと一体回転し、回転操作パイプ２の逆方向回転操作（又は正方向回転操作）により吊りボルトＶに対し空転するラチェット機構８を具備したラチェット部６（通称、全ネジボルトレンチと言う）と、を備えている。
【００４０】
回転操作パイプ２は、この内部に吊りボルトＶが挿入された際に、ラチェット部６から吊りボルトＶの先端側一部が突出するように吊りボルトＶの後端部が受け部５で受け止められ、ラチェット機構８は、吊りボルトＶの周りを挟持ローラ７によって三点位置で支持するものである。
【００４１】
また、ラチェット部６は、吊りボルトＶの種々の径サイズに対応して、回転操作パイプ２先端部からの交換が可能となっている。
【００４２】
そして、天井スラブＳの鉄骨天井インサートＨに取り付けられている吊りボルトＶの取り外し時には、回転操作パイプ２先端部のラチェット部６を正逆回転方向が反対となるよう上下逆向きにして取り付ける。これによって、回転操作パイプ２の逆方向回転操作により吊りボルトＶと一体回転し、回転操作パイプ２の正方向回転操作により吊りボルトＶに対し空転することとなり、建築物の天井スラブＳに予め埋設されているアンカーや鉄骨天井インサートＨのネジ部ＨＮ内へ螺入されている吊りボルトＶの取り外し作業が行えるものとなる。
【００４３】
図４及び図５に示すように、回転操作パイプ２の他端（先端側）には、例えば２本のネジ２３によって円筒状のジョイント管９が固定されており、前記ラチェット部６は、ジョイント管９の先端側内部に挿入されて、例えば、２本のネジ２３によって圧接して固定されている。
【００４４】
回転操作パイプ２の側面には、図６及び図７に示すように、長手方向に沿うように長孔３が形成され、長孔３には、所定の間隔で横方向に設けた複数の凹溝３Ａを有している。そして、吊りボルトＶの長さに応じて選択された所定の位置の凹溝３Ａに、例えば、蝶ネジ等の締付部材４を宛がって係合させ、固定するようにしている。
【００４５】
すなわち、回転操作パイプ２の長孔３の各凹溝３Ａに対向するよう、当該回転操作パイプ２の反対側の面には、ネジ挿入孔４Ａが長手方向に沿って各形成されており、凹溝３Ａ及びネジ挿入孔４Ａそれぞれを介して締付部材４が、受け部５に形成されている左右一対のネジ孔５Ａにねじ込み締付により、受け部５は回転操作パイプ２内の任意の位置に固定される。
【００４６】
回転操作パイプ２は、図１乃至図３に示すように、基部側パイプ２Ａと延長側パイプ２Ｂからなり、両パイプを前記ジョイント管９で連結し、各２本のネジ２３によって締付固定している。
【００４７】
尚、回転操作パイプ２は、基部側パイプ２Ａと延長側パイプ２Ｂとの連結構造となっているが、これに限らず、例えば、図９及び図１０に示すように、回転操作パイプ２は、３本又は４本以上の複数のパイプをジョイント管９で連結しても良い。
【００４８】
以下に、第１実施形態における鉄骨天井インサートＨへ吊りボルトＶを取り付けるための吊りボルト取付方法について、図８に基づき詳細に説明する。
【００４９】
まず、吊りボルトＶをラチェット部６から受け部５で係止される位置まで挿通し、吊りボルトＶの周りをラチェット部６の挟持ローラ７で（三点位置）で支持させた状態にする。
【００５０】
この際、吊りボルトＶの先端側一部がラチェット部６より外方へ突出する状態となるように、締結部材４をいったん緩めて凹溝３Ａから離脱させ、長孔３に沿って受け部５をスライドさせて他の所定の凹溝３Ａに係合させて、再度、締結部材４を締め付ける。
【００５１】
次に、回転操作パイプ２のグリップ部Ｇを持って、鉄骨天井インサートＨに、ラチェット部６に支持されている吊りボルトＶの先端を差し込む。
【００５２】
次に、回転操作パイプ２のグリップ部Ｇを手に持って、正方向回転させることで、ラチェット機構８による吊りボルトＶとの一体回転によって、鉄骨天井インサートＨのネジ部ＨＮに吊りボルトＶをねじ込む。
【００５３】
ねじ込み終了後には、回転操作パイプ２のグリップ部Ｇを逆方向回転させることで、ラチェット機構８によりラチェット部６の挟持ローラ７から吊りボルトＶが解放され、吊りボルトＶから回転操作パイプ２を下方に引き離す。
【００５４】
＜第２実施形態＞
以下に、本発明の第２実施形態について、図１１及び図１２に基づき詳細に説明する。図１１及び図１２に示すように、回転操作パイプ２の先端部には、カップ状のカバー部材１１を取り付けている。このカバー部材１１は、鉄骨天井インサートへ吊りボルトＶを取り付ける際に、当該鉄骨天井インサートＨを覆いつつ、ネジ部ＨＮ内への吊りボルトＶのねじ込みに伴って次第に圧縮するものである。
【００５５】
このカバー部材１１は、括れた筒状の根元が、ラチェット部６を覆うようにしてジョイント管９の先端側に外嵌され、ラチェット部６を固定している前記先端側に取り付けられた２本のネジ２３を介して、回転操作パイプ２の先端部に固定されている。
【００５６】
＜第３実施形態＞
以下に、本発明の第３実施形態について、図１３乃至図２３に基づき詳細に説明する。
【００５７】
第３実施形態における装置本体１は、図１３乃至図１７に示すように、ラチェット部６の後部開口端に角筒状の突起部１８（例えば、六角ナット等）を備え、回転操作パイプ２の先端には、内側に角孔１９（例えば、六角孔等）が形成されたスリーブ部２０を備えている。
【００５８】
そして、突起部１８を角孔１９に差し込み、筒状のケーシング２２を、ラチェット部６を覆うよう前記スリーブ部２０に外嵌させ、例えば、蝶ネジ等の締付部材２１を、スペーサ２０Ｂを介して、前記スリーブ部２０のネジ孔２２Ａ及びスリーブ部２０にねじ込み突起部１８に圧接させてケーシング２２を固定するようにしている。
【００５９】
図１８、図１９に示すように、ラチェット部６を収容したケーシング２２には、鉄骨天井インサートＨへ吊りボルトＶを取り付ける際に当該鉄骨天井インサートＨを覆いつつ、吊りボルトＶをネジ部ＨＮに螺入するためのソケット１７を脱着自在に取り付けている。
【００６０】
すなわち、ソケット１７は、略ラッパ形状の挿着開口部１２を先端に備えた摺動管１３と、摺動管１３の外側面に突設されたガイド突起部１３Ａが摺動自在に取り付けられるよう、ガイド長孔部１４Ａを側面長手方向に沿って形成したガイドパイプ１４を上端に備えた連結部１５と、吊りボルトＶのねじ込みに伴って摺動管１３がガイドパイプ１４に沿って次第に後退されるよう挿着開口部１２及び連結部１５相互間に介装させたコイルバネ１６と、を備えている。
【００６１】
また、回転操作パイプ２は、図２０、図２１に示すように、先端部周面に雄型のネジ溝３１及び縦方向に複数の割り溝３２を形成してなる基部側パイプ２Ａに、基部側パイプ２Ａよりも小径の延長側パイプ２Ｂが挿入され、基部側パイプ２Ａに挿入した延長側パイプ２Ｂを基部側パイプ２Ａから任意の長さに引き出した状態で、基部側パイプ２Ａのネジ溝３１にねじ込まれるよう内周壁面に雌型のネジ溝１０Ａを備えた締付ジョイント部１０のねじ込みによって締付固定することで、パイプ自体を伸縮自在としている。
【００６２】
以下に、第３実施形態での鉄骨天井インサートＨへ吊りボルトＶを取り付けるための上記構成による吊りボルト取付装置１を使用した吊りボルト取付方法について、図２２及び図２３に基づき詳細に説明する。
【００６３】
まず、吊りボルトＶをラチェット部６から受け部５で係止される位置まで挿通し、吊りボルトＶの周りをラチェット部６の挟持ローラ７で（三点位置）で支持させた状態にする。
【００６４】
この際、吊りボルトＶの先端側一部がラチェット部６より外方へ突出する状態となるように、締結部材４をいったん緩めて凹溝３Ａから離脱させ、長孔３に沿って受け部５をスライドさせて他の所定の凹溝３Ａに係合させて、再度、締結部材４を締め付ける。
【００６５】
次に、吊りボルトＶの突出した先端側一部に被せるように、ラチェット部６を収容したケーシング２２に、ソケット１７を取り付ける。
【００６６】
図２２（ａ）及び（ｂ）に示すように、回転操作パイプ２のグリップ部Ｇを持って、天井スラブＳの下方に突出したネジ部ＨＮを覆う鉄骨天井インサートＨを、ソケット１７の挿着開口部１２に差し込む。
【００６７】
このとき、鉄骨天井インサートＨの下端開口側は、挿着開口部１２のラッパ状の内面に沿って相対スライドされて摺動管１３に挿入される。これと同時に、図２２（ｃ）及び（ｄ）に示すように、挿着開口部１２の上部開口端が天井スラブＳに当接する。
【００６８】
図２３（ａ）及び（ｂ）に示すように、回転操作パイプ２のグリップ部Ｇを持って、挿着開口部１２を天井スラブＳに押し付けると、コイルバネ１６を圧縮しつつ摺動管１３がガイドパイプ１４に沿って若干後退する。これと同時に、ネジ部ＨＮのネジ孔開口端の内周面に、吊りボルトＶのネジ先端の外周面が当たり、相互のネジのテーパ部分によって、ネジ部ＨＮと吊りボルトＶとが同軸となるよう合わせられる。
【００６９】
図２３（ｃ）に示すように、回転操作パイプ２のグリップ部Ｇを持って、正方向回転させることで、ラチェット機構８による吊りボルトＶとの一体回転によって、ネジ部ＨＮに吊りボルトＶをねじ込む。このとき、挿着開口部１２は天井スラブＳにさらに押し付けられ、コイルバネ１６を圧縮しつつ摺動管１３がガイドパイプ１４に沿って更に後退する。
【００７０】
ねじ込み操作終了後には、図２３（ｄ）に示すように、回転操作パイプ２のグリップ部Ｇを持って、逆方向回転させることで、ラチェット機構８によりラチェット部６の挟持ローラ７から吊りボルトＶが解放され、吊りボルトＶから回転操作パイプ２を引き抜く。
【００７１】
また、以上に述べた以外にも、上記実施形態や各変形例による手法を適宜組み合わせて利用しても良い。以下に、その変形例について説明する。
【００７２】
＜変形例１＞
本変形例では、図２４に示すように、回転操作パイプ２の前記長孔３を、凹溝３Ａの無いストレートな形状とすることで、受け部５を長孔３の任意の位置にスライド固定できるようにしている。
【００７３】
これによって、吊りボルトＶの長短サイズが如何なるものであっても、吊りボルトＶの後端部を好ましい位置で受け部５が受け止めて、常に、ラチェット部６から吊りボルトＶの先端側の一部が突出している状態を維持することができる。
【００７４】
尚、本変形例における作用効果は、上記第１乃至第３の実施形態と同じである。
【００７５】
＜変形例２＞
本変形例では、図２５に示すように、前記回転操作パイプ２は、その一端にグリップ部Ｇを備え、当該グリップ部Ｇは、第１グリップ部Ｇ１と第２グリップ部Ｇ２とに分割されている。
【００７６】
そして、第２グリップ部Ｇ２は、回転操作パイプ２に対して回転自在となし、第１グリップ部Ｇ１の一端には互いに逆向きの二重螺旋状のガイド溝を周面に有する軸部ＧＮが軸受によって回転自在に装着されている。軸部ＧＮは、このガイド溝に第２グリップ部Ｇ２内周面に形成されたガイド突部（図示省略）が係合するようにして第２グリップ部Ｇ２に挿入され、回転操作パイプ２に連結されている。
【００７７】
こうして、第１グリップ部Ｇ１を第２グリップ部Ｇ２に押込むことで、回転操作パイプ２を正方向回転（逆方向回転）させ、第１グリップ部Ｇ１を第２グリップ部Ｇ２から引き出すことで回転操作パイプ２を逆方向回転（正方向回転）させることとなる。
【００７８】
尚、本変形例における作用効果は、上記第１乃至第３の実施形態と同じである。
【００７９】
その他、一々例示はしないが、本発明は、その趣旨を逸脱しない範囲内において、種々の変更が加えられて実施されるものである。
【産業上の利用可能性】
【００８０】
本発明により、作業員は可搬式作業台や架台等に乗って落下の危険性のある作業を実施することなく、建築物の天井スラブに予め埋設されているアンカーや鉄骨天井インサート内に、床上から吊りボルトを容易に螺入することができ、誰もが安全性の確保された吊りボルト取付作業を容易に実施できる吊りボルト取付装置として、種々の作業現場において、幅広く利用されるものである。
【符号の説明】
【００８１】
１…装置本体
２…回転操作パイプ
２Ａ…基部側パイプ
２Ｂ…延長側パイプ
３…長孔
３Ａ…凹溝
４…締付部材
４Ａ…ネジ挿入孔
５…受け部
５Ａ…ネジ孔
６…ラチェット部
７…挟持ローラ
８…ラチェット機構
９…ジョイント管
１０…締付ジョイント部
１０Ａ…ネジ溝
１１…カバー部材
１２…挿着開口部
１３…摺動管
１３Ａ…ガイド突起部
１４…ガイドパイプ
１４Ａ…ガイド長孔部
１５…連結部
１６…コイルバネ
１７…ソケット
１８…突起部
１９…角孔
２０…スリーブ部
２０Ａ…ネジ孔
２０Ｂ…スペーサ
２１…締付部材
２２…ケーシング
２２Ａ…ネジ孔
２３…ネジ
３１…ネジ溝
３２…割り溝
Ｑ…作業員
Ｇ…グリップ部
Ｇ１…第１グリップ部
Ｇ２…第２グリップ部
ＧＮ…軸部
Ｖ…吊りボルト
Ｓ…天井スラブ
Ｈ…鉄骨天井インサート
ＨＮ…ネジ部
Ｐ…プライヤ
Ｔ…可搬式作業台
【図１】
2018099754.tif 000003
【図２】
2018099754.tif 000004
【図３】
2018099754.tif 000005
【図４】
2018099754.tif 000006
【図５】
2018099754.tif 000007
【図６】
2018099754.tif 000008
【図７】
2018099754.tif 000009
【図８】
2018099754.tif 000010
【図９】
2018099754.tif 000011
【図１０】
2018099754.tif 000012
【図１１】
2018099754.tif 000013
【図１２】
2018099754.tif 000014
【図１３】
2018099754.tif 000015
【図１４】
2018099754.tif 000016
【図１５】
2018099754.tif 000017
【図１６】
2018099754.tif 000018
【図１７】
2018099754.tif 000019
【図１８】
2018099754.tif 000020
【図１９】
2018099754.tif 000021
【図２０】
2018099754.tif 000022
【図２１】
2018099754.tif 000023
【図２２】
2018099754.tif 000024
【図２３】
2018099754.tif 000025
【図２４】
2018099754.tif 000026
【図２５】
2018099754.tif 000027
【図２６】
2018099754.tif 000028